(57)【要約】【課題】保管、搬送、設置が容易で、衛生的な小便器ボウル、及び、仮設トイレを提供する。【解決手段】仮設トイレの外形に沿うように組み立てられるフレーム部４と、紐状物２１２、２２２と少なくとも一枚の防水性を有するシート状物２１１ａ、２１１ｂ、２２１（以下２１１ａ等と省略）とシート状物２１１ａ等を構造物に着脱自在に固定させる固定部２１３、２２３とを有する小便器ボウル２と、フレーム部４に取り付けられ、少なくとも一つ以上の小便器ボウル２が固定部２１３、２２３を介して着脱自在に取り付けられる小便器ボウル取付部５とを備え、シート状物２１１ａ等は、紐状物２１２、２２２によって器形状に成形されるとともに、水分を排出する排水口２１１１、２２１１が設けられ、固定部２１３、２２３は、器形状に成形されたシート状物２１１ａ等の外側に取り付けられ、器形状を保持した状態で固定させる。【選択図】図１
2018175283.tif 000002
【特許請求の範囲】
【請求項１】
紐状物と、
少なくとも一枚の防水性を有するシート状物と、
前記シート状物を構造物に着脱自在に固定させる固定部とを備え、
前記シート状物は、前記紐状物によって器形状に成形されるとともに、水分を排出する排水口が設けられ、
前記固定部は、器形状に成形された前記シート状物の外側に取り付けられ、前記器形状を保持した状態で固定させる小便器ボウル。
【請求項２】
防水性を有する楕円形の第一シート状物と、
防水性を有し、前記第一シート状物の外周に沿って一方の長辺が溶着されるとともに、短辺同士が溶着され、水分を排出する排水口が設けられた略長方形の第二シート状物と、
前記第二シート状物の他方の長辺に沿うように取り付けられ、前記第二シート状物を筒形状に成形し、該筒形状を保持させる紐状物と、
前記第一シート状物又は前記第二シート状物の少なくとも一方に取り付けられ、前記第二シート状物が筒形状を保持した状態で、前記一体化された第一シート状物及び第二シート状物を構造物に着脱自在に固定させる固定部と、
を備える小便器ボウル。
【請求項３】
防水性を有し、水分を排出する排水口が設けられた略楕円形の第三シート状物と、
前記第三シート状物の外縁部に沿うように取り付けられ、前記第三シート状物を器形状に成形する紐状物と、
前記紐状物によって器形状に形成された前記第三シート状物の外側に取り付けられ、前記器形状を保持した状態で、前記第三シート状物を構造物に着脱自在に固定させる固定部と、
を備える小便器ボウル。
【請求項４】
仮設トイレであって、
前記仮設トイレの外形に沿うように組み立てられるフレーム部と、
紐状物と、少なくとも一枚の防水性を有するシート状物と、前記シート状物を構造物に着脱自在に固定させる固定部とを有する小便器ボウルと、
前記フレーム部に取り付けられ、少なくとも一つ以上の前記小便器ボウルが前記固定部を介して着脱自在に取り付けられる小便器ボウル取付部と、
を備え、
前記シート状物は、前記紐状物によって器形状に成形されるとともに、水分を排出する排水口が設けられ、
前記固定部は、器形状に成形された前記シート状物の外側に取り付けられ、前記器形状を保持した状態で固定させる仮設トイレ。
【請求項５】
仮設トイレであって、
前記仮設トイレの外形に沿うように組み立てられるフレーム部と、
防水性を有する楕円形の第一シート状物と、防水性を有し、前記第一シート状物の外周に沿って一方の長辺が溶着されるとともに、短辺同士が溶着され、水分を排出する排水口が設けられた略長方形の第二シート状物と、前記第二シート状物の他方の長辺に沿うように取り付けられ、前記第二シート状物を筒形状に成形し、該筒形状を保持させる紐状物と、前記第一シート状物又は前記第二シート状物の少なくとも一方に取り付けられ、前記第二シート状物が筒形状を保持した状態で、前記一体化された第一シート状物及び第二シート状物を構造物に着脱自在に固定させる固定部とを有する小便器ボウルと、
前記フレーム部に取り付けられ、少なくとも一つ以上の前記小便器ボウルが前記固定部を介して着脱自在に取り付けられる小便器ボウル取付部と、
を備える仮設トイレ。
【請求項６】
仮設トイレであって、
前記仮設トイレの外形に沿うように組み立てられるフレーム部と、
防水性を有し、水分を排出する排水口が設けられた略楕円形の第三シート状物と、前記第三シート状物の外縁部に沿うように取り付けられ、前記第三シート状物を器形状に成形する紐状物と、前記紐状物によって器形状に形成された前記第三シート状物の外側に取り付けられ、前記器形状を保持した状態で、前記第三シート状物を前記仮設トイレに着脱自在に固定させる固定部とを有する小便器ボウルと、
前記フレーム部に取り付けられ、少なくとも一つ以上の前記小便器ボウルが前記固定部を介して着脱自在に取り付けられる小便器ボウル取付部と、
を備える仮設トイレ。
【請求項７】
請求項４〜６のいずれか一に記載の仮設トイレであって、さらに、
前記フレーム部に着脱自在に取り付けられるパーティションを備える仮設トイレ。
【請求項８】
請求項４〜７のいずれか一に記載の仮設トイレであって、
前記小便器ボウル取付部は、前記フレーム部を水平に繋ぐパイプである仮設トイレ。
【発明の詳細な説明】
【技術分野】
【０００１】
本発明は、被災地などに設置され、保管、搬送、設置が容易で、衛生的な小便器ボウル、及び、仮設トイレに関する。
【背景技術】
【０００２】
従来、特許文献１に示すようなボックス型の仮設トイレが知られている。この従来のボックス型の仮設トイレは、大型で、重量が重く、コンパクトにできないため、搬送及び設置が大変であるという問題があった。
【０００３】
このような問題を解決すべく、例えば特許文献２に示すような軽量かつ折り畳み可能なテント型の仮設トイレが知られている。この仮設トイレは、フレーム式のテントの側面用幕（小便用外幕）に複数溶着されたシート状の受け部と、各受け部の上縁、及び、正面に取り付けられる成形バーとで複数の小便器を構成するものである。
【０００４】
この仮設トイレによれば、成形バーを取り外すことで、小便用外幕を折り畳み、小便器が汚れた際には、小便用外幕をフレーム部から取外し、新しい小便用外幕に交換することができる。
【先行技術文献】
【特許文献】
【０００５】
【特許文献１】特開２０１１−９４４２７号公報
【特許文献２】特開２０１３−１３３６３２号公報
【発明の概要】
【発明が解決しようとする課題】
【０００６】
しかしながら、特許文献２に開示された仮設トイレでは、複数の受け部が小便用外幕に溶着されることで、複数の小便器が形成されているため、交換する際には、小便用外幕を交換しなければならず、交換作業に大変な手間がかかっていた。また、各小便器は個別に取り外して交換することができないため、こまめな交換ができず、不衛生であった。加えて、あらかじめ受け部が小便用外幕に溶着されているため、ユーザは状況に応じて、小便器の数を変更することができなかった。
【０００７】
本発明は、従来のこのような問題点に鑑みてなされたものである。本発明の目的の一は、保管、搬送、設置が容易で、小便器の数をユーザのニーズに合わせて容易に変更でき、衛生的な小便器ボウル、及び、仮設トイレを提供することにある。
【課題を解決するための手段】
【０００８】
本発明の第１の側面に係る小便器ボウルによれば、紐状物と、少なくとも一枚の防水性を有するシート状物と、前記シート状物を構造物に着脱自在に固定させる固定部とを備え、前記シート状物は、前記紐状物によって器形状に成形されるとともに、水分を排出する排水口が設けられ、前記固定部は、器形状に成形された前記シート状物の外側に取り付けられ、前記器形状を保持した状態で固定させることを特徴としている。
【０００９】
また、本発明の第２の側面に係る小便器ボウルによれば、防水性を有する楕円形の第一シート状物と、防水性を有し、前記第一シート状物の外周に沿って一方の長辺が溶着されるとともに、短辺同士が溶着され、水分を排出する排水口が設けられた略長方形の第二シート状物と、前記第二シート状物の他方の長辺に沿うように取り付けられ、前記第二シート状物を筒形状に成形し、該筒形状を保持させる紐状物と、前記第一シート状物又は前記第二シート状物の少なくとも一方に取り付けられ、前記第二シート状物が筒形状を保持した状態で、前記一体化された第一シート状物及び第二シート状物を構造物に着脱自在に固定させる固定部とを備えることを特徴としている。
【００１０】
さらにまた、本発明の第３の側面に係る仮設トイレによれば、防水性を有し、水分を排出する排水口が設けられた略楕円形のシート状物と、前記シート状物の外縁部に沿うように取り付けられ、前記シート状物を器形状に成形する紐状物と、前記紐状物によって器形状に形成された前記シート状物の外側に取り付けられ、前記器形状を保持した状態で、前記シート状物を構造物に着脱自在に固定させる固定部とを備えることを特徴としている。
【００１１】
さらにまた、本発明の第４の側面に係る仮設トイレによれば、仮設トイレであって、前記仮設トイレの外形に沿うように組み立てられるフレーム部と、紐状物、及び、少なくとも一枚の防水性を有するシート状物、前記シート状物を構造物に着脱自在に固定させる固定部を有し、前記シート状物は、前記紐状物によって器形状に成形されるとともに、水分を排出する排水口が設けられ、前記固定部は、器形状に成形された前記シート状物の外側に取り付けられ、前記器形状を保持した状態で固定させる小便器ボウルと、前記フレーム部に取り付けられ、少なくとも一つ以上の前記小便器ボウルが前記固定部を介して着脱自在に取り付けられる小便器ボウル取付部とを備えることを特徴としている。
【００１２】
さらにまた、本発明の第５の側面に係る仮設トイレによれば、仮設トイレであって、前記仮設トイレの外形に沿うように組み立てられるフレーム部と、防水性を有する楕円形の第一シート状物と、防水性を有し、前記第一シート状物の外周に沿って一方の長辺が溶着されるとともに、短辺同士が溶着され、水分を排出する排水口が設けられた略長方形の第二シート状物と、前記第二シート状物の他方の長辺に沿うように取り付けられ、前記第二シート状物を筒形状に成形し、該筒形状を保持させる紐状物と、前記第一シート状物又は前記第二シート状物の少なくとも一方に取り付けられ、前記第二シート状物が筒形状を保持した状態で、前記一体化された第一シート状物及び第二シート状物を構造物に着脱自在に固定させる固定部とを有する小便器ボウルと、前記フレーム部に取り付けられ、少なくとも一つ以上の前記小便器ボウルが前記固定部を介して着脱自在に取り付けられる小便器ボウル取付部とを備えることを特徴としている。
【００１３】
さらにまた、本発明の第６の側面に係る仮設トイレによれば、仮設トイレであって、前記仮設トイレの外形に沿うように組み立てられるフレーム部と、防水性を有し、水分を排出する排水口が設けられた略楕円形のシート状物と、前記シート状物の外縁部に沿うように取り付けられ、前記シート状物を器形状に成形する紐状物と、前記紐状物によって器形状に形成された前記シート状物の外側に取り付けられ、前記器形状を保持した状態で、前記シート状物を前記仮設トイレに着脱自在に固定させる固定部とを有する小便器ボウルと、前記フレーム部に取り付けられ、少なくとも一つ以上の前記小便器ボウルが前記固定部を介して着脱自在に取り付けられる小便器ボウル取付部とを備えることを特徴としている。
【００１４】
さらにまた、本発明の第７の側面に係る仮設トイレによれば、さらに、前記フレーム部に着脱自在に取り付けられるパーティションを備えることを特徴としている。
【００１５】
さらにまた、本発明の第８の側面に係る仮設トイレによれば、前記小便器ボウル取付部は、前記フレーム部を水平に繋ぐパイプとすることを特徴としている。
【発明の効果】
【００１６】
本発明によれば、保管、搬送、設置が容易で、小便器の数をユーザのニーズに合わせて容易に変更でき、衛生的な小便器ボウル、及び、仮設トイレを得ることができる。
【図面の簡単な説明】
【００１７】
【図１】本実施の形態に係る仮設トイレの内部の模式図である。
【図２】本実施の形態に係る仮設トイレの外部の模式図である。
【図３】図３Ａは、本発明を適用した小便器ボウルの第一実施例であって、小便器ボウルを斜め前側から見た模式図、図３Ｂは、本発明を適用した小便器ボウルの第一実施例であって、小便器ボウルを斜め後側から見た模式図、図３Ｃは、本発明を適用した小便器ボウルの第二実施例であって、小便器ボウルを斜め前側から見た模式図、図３Ｄは、本発明を適用した小便器ボウルの第二実施例であって、小便器ボウルを後側から見た模式図である。
【図４】本発明を適用した小便器ボウルの第一実施例に係る部材である、図４Ａは、第一シート状物の模式図、図４Ｂは、第二シート状物の模式図、図４Ｃは、紐状物の模式図、図４Ｄは、面ファスナーからなる固定部の模式図、図４Ｅは、紐からなる固定部の模式図である。
【図５】本発明を適用した小便器ボウルの第二実施例に係る部材である、図５Ａは、シート状物の模式図、図５Ｂは、紐状物の模式図、図５Ｃは、シート状物に紐状物を通す様子を示した模式図である。
【図６】本実施の形態に係る小便器ボウルと小便器ボウル取付部であって、図６Ａは、固定部が面ファスナーである場合の模式図、図６Ｂは、固定部が紐である場合の模式図である。
【図７】本発明を適用した排水構造部の第一実施例であって、図７Ａは、外形図、図７Ｂは、断面図である。
【図８】本発明を適用した排水構造部の第二実施例であって、図８Ａは、外形図、図８Ｂは、断面図である。
【図９】本発明を適用した排水構造部の第三実施例であって、図９Ａは、外形図、図９Ｂは、断面図である。
【発明を実施するための形態】
【００１８】
以下、本発明の実施の形態を図面に基づいて説明する。ただし、以下に示す実施の形態は、本発明の技術思想を具体化するための小便器ボウル、及び、仮設トイレを例示するものであって、本発明はそれらを以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（仮設トイレ１の構成）
【００１９】
本実施の形態に係る仮設トイレ１の内部の模式図を図１に、本実施の形態に係る仮設トイレ１の外部の模式図を図２に示す。図１〜図２に示すように、本実施の形態に係る仮設トイレ１は、仮設トイレ１の外形に沿うように組み立てられるフレーム部４と、フレーム部４を覆うように取り付けられる幕７と、小便を受ける小便器ボウル２と、小便器ボウル２から排出された小便等の液体をタンク８へ排出する排水構造部３と、フレーム部４に取り付けられ、少なくとも一つ以上の小便器ボウル２が着脱自在に取り付けられる小便器ボウル取付部５と、フレーム部４に着脱自在に取り付けられるパーティション６を備えている。
【００２０】
これにより、仮設トイレ１のフレーム部４は、テント用のフレーム材を利用できるため、仮設トイレ１は、保管しやすく、搬送、組立が容易である。また、仮設トイレ１は、内部に複数の小便器ボウル２を容易に設置できる。さらに、小便器ボウル取付部５を備えることで、小便器ボウルを任意の位置に取り付けることができ、小便器の取り付け個数をユーザの希望に合わせ自由に変更できる。さらにまた、パーティションを備えることで、プライベート空間を作ることができる。このパーティションは、取外し可能なので衛生的である。
（小便器ボウル２）
【００２１】
小便器ボウル２は、小便を受けとめ、受けた小便を排出するための部材である。
（本発明を適用した小便器ボウル２の第一実施例）
（小便器ボウル２１）
【００２２】
本発明を適用した小便器ボウルの第一実施例であって、小便器ボウルを斜め前側から見た模式図を図３Ａに、小便器ボウルを斜め後側から見た模式図を図３Ｂに、本発明を適用した小便器ボウルの第一実施例に係る部材である、第一シート状物の模式図を図４Ａに、第二シート状物の模式図を図４Ｂに、紐状物の模式図を図４Ｃに、面ファスナーからなる固定部の模式図を図４Ｄに、紐からなる固定部の模式図を図４Ｅに示す。
【００２３】
本発明を適用した小便器ボウル２１は、図３Ａ〜図３Ｂ及び図４Ａ〜図４Ｅに示すように、防水性を有する楕円形の第一シート状物２１１ａと、防水性を有し、第一シート状物２１１ａの外周である外縁部２１１３に沿って長辺２１１５ａが溶着されるとともに、短辺２１１６ａと短辺２１１６ｂとが溶着され、水分を排出する排水口２１１１が設けられた略長方形の第二シート状物２１１ｂと、第二シート状物２１１ｂの長辺２１１５ｂに沿うように取り付けられ、第二シート状物２１１ｂを筒形状に成形し、筒形状を保持させる紐状物２１２と、第一シート状物２１１ａ又は第二シート状物２１１ｂの少なくとも一方に取り付けられ、第二シート状物２１１ｂが筒形状を保持した状態で、一体化された第一シート状物２１１ａ及び第二シート状物２１１ｂを仮設トイレ１などの構造物に着脱自在に固定させる固定部２１３を備えている。
（第一シート状物２１１ａ）
【００２４】
第一シート状物２１１ａは、紐状物２１２が取り付けられた第二シート状物２１１ｂと一体化されて、小便を受けるための部材である。
【００２５】
第一シート状物２１１ａは、図３Ａ、図３Ｂ、図４Ａに示すように、略楕円形状の防水性シートである。例えば、第一シート状物２１１ａは、楕円形状に断裁された市販の防水性テント用シートである。第一シート状物２１１ａは、外縁部２１１３に沿って、第二シート状物２１１ｂの長辺２１１５ａが溶着される。また、第一シート状物２１１ａは、固定部２１３を溶着できる。なお、第一シート状物２１１ａは、略楕円形状に限られず、筒形状に成形された第二シート状物の長辺２１１５ａと溶着されて、器形状が形成できればよい。
（第二シート状物２１１ｂ）
【００２６】
第二シート状物２１１ｂは、第一シート状物２１１ａと一体化されて、小便を受けるとともに小便を排出するための部材である。
【００２７】
図３Ａ、図３Ｂ、図４Ｂに示すように、第二シート状物２１１ｂは、長辺２１１５ａの長さが第一シート状物２１１ａの外縁部２１１３と略同じ長さの長方形の防水性シートである。また、第二シート状物２１１ｂは、短辺２１１６ａと短辺２１１６ｂとが溶着されて、筒形状に形成される。
【００２８】
第二シート状物２１１ｂの長辺２１１５ａは、第一シート状物２１１ａの外縁部２１１３に沿って溶着される。小便器ボウル２１が小便器ボウル取付部５などの構造物に取り付けられた際に最下点になる位置に、第二シート状物２１１ｂは、円形に刳り抜かれた排水口２１１１が設けられている。
【００２９】
第二シート状物２１１ｂは、長辺２１１５ｂに沿って、紐状物２１２が通される紐通部２１１４を有する。紐通部２１１４は、例えば、矩形状の第二シート状物２１１ｂの長辺に沿って折り返され、端部が溶着されてなるループ２１１４ａである。ループ２１１４ａは、紐状物２１２を予め縫い込んだ状態で形成されても、ループ２１１４ａが形成され、その後、紐状物２１２を通すこともできる。第二シート状物２１１ｂは、紐状物２１２が取り付けられることにより、筒形状の開口部２１１２が形成される。なお、紐通部２１１４は、上記形状に限られず、紐状物２１２が取り付けられる形状であればよい。
【００３０】
紐状物２１２と第一シート状物２１１ａにより、第二シート状物２１１ｂは、筒形状を保持できる。
【００３１】
なお、第二シート状物２１１ｂは、長方形に限られず、第一シート状物の外縁部２１１３と溶着されて、器形状が形成できればよく、例えば、開口部２１１２が狭まるような形状などでもよい。
（紐状物２１２）
【００３２】
紐状物２１２は、小便器ボウル２１の開口部を形成し、小便器ボウル２１の器形状を保持するための部材である。
【００３３】
図３Ａ、図４Ｃに示すように、紐状物２１２は、開口部２１１２の形状を保つことができ、第二シート状物２１１ｂの長辺２１１５ｂと略同じ長さのロープである。紐状物２１２は、第二シート状物２１１ｂの紐通部２１１４に通される、例えば、直径が１４ｍｍ程度のポリエチレンロープを用いることができる。紐状物２１２は、形状記憶機能を有していてもよく、ワイヤーが巻き付けられた紐なども利用できる。
【００３４】
また、図６Ｂに示すように、長辺２１１５ｂよりも短い紐状物２１２が、紐通部２１１４に取り付けられることにより、第二シート状物２１１ｂの紐通部２１１４は、ひだ状に寄せ集められ、開口部２１１２が狭まった形状の小便器ボウル２１を形成することができる。このような形態にすることで、小便が手前に垂れるのを防ぐことができる。
（固定部２１３）
【００３５】
固定部２１３は、小便器ボウル２を仮設トイレ１などの構造物に着脱自在に固定するための部材である。
【００３６】
本実施の形態に係る小便器ボウルと小便器ボウル取付部であって、固定部が面ファスナーである場合の模式図を図６Ａに、固定部が紐である場合の模式図を図６Ｂに示す。固定部２１３は、図６Ａに示すように、小便器ボウル２１の外面に設けられた、例えば、面ファスナー２１３ａである。第一シート状物２１１ａと固定部２１３とは、布用接着剤などの接着剤によって一体化される。第一シート状物２１１ａと固定部２１３との一体化方法は、接着剤に限られず、糸などで縫い付けてもよい。小便器ボウル２１は、面ファスナー２１３ａを、小便器ボウル取付部５に、巻き付け、端部同士を貼り合わせることによって固定される。
【００３７】
固定部２１３は、図６Ｂに示すように、第二シート状物２１１ｂに取り付けられた、例えば、紐２１３ｂなどでもよい。小便器ボウル２１は、小便器ボウル取付部５に、紐２１３ｂを縛り付けることにより固定される。
【００３８】
なお、固定部２１３は上記形態に限られず、小便器ボウル２１の形状を保ったまま取り付けられるものであればよい。
（本発明を適用した小便器ボウル２の第二実施例）
（小便器ボウル２２）
【００３９】
本発明を適用した小便器ボウルの第二実施例であって、小便器ボウル２２を斜め前側から見た模式図を図３Ｃに、本発明を適用した小便器ボウルの第二実施例であって、小便器ボウルを後側から見た模式図を図３Ｄに、本発明を適用した小便器ボウルの第二実施例に係る部材である、シート状物の模式図を図５Ａに、紐状物の模式図を図５Ｂに、シート状物に紐状物を通す様子を示した模式図を図５Ｃに示す。
【００４０】
図３Ｃ〜図３Ｄ及び図５Ａ〜図５Ｃに示すように、本発明を適用した小便器ボウル２２は、小便を受け止めるとともに、受け止めた小便を排出する排水口２２１１が設けられた略楕円形の防水性第三シート状物２２１と、第三シート状物２２１の外周近傍を占める外縁部２２１３に沿うように取り付けられ、小便器ボウル２２の開口部２２１２を形成するとともに、第三シート状物２２１を器形状に成形する紐状物２２２と、紐状物２２２によって器形状に形成された第三シート状物２２１の外側に設けられ、器形状を保持した状態で、仮設トイレ１などの構造物に着脱自在に小便器ボウル２２を固定する固定部２２３を備えている。
（第三シート状物２２１）
【００４１】
第三シート状物２２１は、紐状物２２２によって器形状に成形されて、小便を受けるための部材である。
【００４２】
図３Ｃ〜図３Ｄ、図５Ａ、図５Ｃに示すように、第三シート状物２２１は、器形状に形成された際に底になる位置に排水用の孔である排水口２２１１が設けられるとともに、外縁に沿って紐状物２２２を通すための紐通部２２１４が設けられた略楕円形状の防水性シートである。
【００４３】
第三シート状物２２１は、例えば、楕円形状に断裁された市販の防水性テント用シートからなり、紐状物２２２によって、器形状に成形された際に底になる、横方向中央、縦方向下寄りの位置に円形に刳り抜かれた排水口２２１１が設けられている。また、第三シート状物２２１は、シート外縁に沿って、紐状物２２２を挿通するための偶数個の孔である紐通部２２１４を備えており、紐通部２２１４には、紐状物２２２を挿通できる程度の内径のハトメ２２１４ａが嵌められている。
【００４４】
なお、シートは、略楕円形状に限られず、紐状物２２２によって器形状を形成できる形であればよい。
（紐状物２２２）
【００４５】
紐状物２２２は、第三シート状物２２１を器形状に成形するための部材である。
【００４６】
図３Ｃ〜図３Ｄ、図５Ｂ、図５Ｃに示すように、紐状物２２２は、開口部２２１２の形状を保つことができ、第三シート状物２２１の外周より短く、小便器ボウル２２の開口部２２１２の長さよりやや長いロープである。紐状物２２２は、紐状物２１２同様、例えば、直径が１４ｍｍ程度のポリエチレンロープなどが用いられる。
【００４７】
紐状物２２２は、第三シート状物２２１の外縁部２２１３に沿うよう設けられた紐通部２２１４を端から順に裏表交互に通され、外縁部２２１３を一周したところで端同士が結び付けられる。第三シート状物２２１の外周より短い紐状物２２２が取り付けられることにより、第三シート状物２２１の外縁部２１３は、ひだ状に寄せ集められ、開口部２２１２が形成されるとともに、第三シート状物２２１は、器形状に成形される。
（固定部２２３）
【００４８】
固定部２２３は、小便器ボウル２２を構造物に着脱自在に固定するための部材である。
【００４９】
固定部２２３は、固定部２１３と略同様であるが、第一実施例において、固定部２１３は、第一シート状物２１１ａ又は第二シート状物２１１ｂに取り付けられていたのに対し、固定部２２３は、図３Ｄに示すように、紐状物２２２によって器形状に形成された第三シート状物２２１の外側に取り付けられる。
【００５０】
これにより、小便器ボウル２は、軽量素材で、折り畳みができるため、収納、保管、搬送、設置が容易である。また、小便器ボウル２は、着脱し易く、容易に洗浄できるため、衛生的である。
（排水構造部３）
【００５１】
排水構造部３は、排水口２１１１又は排水口２２１１に取り付けられ、小便器ボウル２内の小便を排水口２１１１又は排水口２２１１を介して小便器ボウル２外へ排出させるための部材である。以降、小便器ボウル２１に取り付けられる場合について説明するが、小便器ボウル２２に取り付けられる場合も同様であり、排水口２１１１は、排水口２２１１に読み替えることができる。
（本発明を適用した排水構造部の第一実施例）
（排水構造部３１）
【００５２】
本発明を適用した排水構造部の第一実施例であって、外形図を図７Ａに、断面図を図７Ｂに示す。排水構造部３１は、図１〜図２、図７Ａ〜図７Ｂに示すように、小便器ボウル２１の排水口２１１１を覆うように溶着される排水チューブ３１１と、排水チューブ３１１に取り付けられ、排水チューブ３１１からタンク８へ尿などの液体を排出させるホース３１２と、ホース３１２と排水チューブ３１１とを固定するバンド３１４と、排水チューブ３１１に取り付けられ、バンド３１４による固定を補助する丸鉢金物３１３を備えている。
（排水チューブ３１１）
【００５３】
排水チューブ３１１は、ホース３１２を介して、小便器ボウル２内の小便をタンク８へ排出させるための部材である。
【００５４】
排水チューブ３１１は、筒状に形成された防水性シートで、一方の端は、排水口２１１１を覆うように溶着され、他方の端は、ホース３１２に接続される。
【００５５】
排水チューブ３１１は、例えば、市販の防水性テント用シートを矩形に断裁し、平行する二辺を溶着して筒状に形成したものである。
【００５６】
排水チューブ３１１の排水口側端部３１１ａは、第二シート状物２１１ｂに設けられた排水口２１１１を外側から覆うように、小便器ボウル２１に溶着される。第二シート状物２１１ｂに溶着された排水チューブ３１１には、排水口側から丸鉢金物３１３が挿入される。排水チューブ３１１のホース側端部３１１ｂは、ホース３１２に挿入され、バンド３１４で固定される。
（ホース３１２）
【００５７】
ホース３１２は、排水チューブ３１１からタンク８へと、小便を排出するための部材である。
【００５８】
ホース３１２は、丸鉢金物３１３が挿入された排水チューブ３１１のホース側端部３１１ｂよりやや口径の大きな市販のホースである。ホース３１２の一方の端は、バンド３１４によって、排水チューブ３１１のホース側端部３１１ｂに固定され、他方の端は、タンク８へ挿入される。
【００５９】
ホース３１２は、後述する側面幕７１の下部に設けられた孔７１１を貫通し、テント外部に設置されたタンク８等へ小便を溜めることができる。
（バンド３１４）
【００６０】
バンド３１４は、排水チューブ３１１と、ホース３１２とを固定するための固定部材である。バンド３１４は、例えば、ゴム製の紐などである。なお、バンド３１４は、排水チューブ３１１と、ホース３１２とを固定できるようなその他の固定部材に置き換えることができる。
（丸鉢金物３１３）
【００６１】
丸鉢金物３１３は、排水チューブ３１１と、ホース３１２との固定を容易にするための部材である。
【００６２】
丸鉢金物３１３は、図７Ｂに示すように、上部にフランジを有し、下方へ向かって縮径する排水部品である。丸鉢金物３１３は、小便器ボウル２に取り付けられた排水チューブ３１１に、排水口側から挿入され、張り出したフランジが第二シート状物２１１ｂに掛かることによって支持される。丸鉢金物３１３は、樹脂、金属等、排水チューブ３１１をホース３１２に固定する際に変形しない程度の硬度を有するものであればよい。
（本発明を適用した排水構造部の第二実施例）
（排水構造部３２）
【００６３】
本発明を適用した排水構造部の第二実施例であって、外形図を図８Ａに、断面図を図８Ｂに示す。排水構造部３２は、図１〜図２、図８Ａ〜図８Ｂに示すように、小便器ボウル２１の排水口２１１１を覆うように溶着された排水チューブ３２１と、排水チューブ３２１の内側に挿入されるホース３２２を備えている。
（排水チューブ３２１）
【００６４】
排水チューブ３２１は、小便器ボウル２内の小便をタンク８へ排出させるための部材である。
【００６５】
排水チューブ３２１は、テーパー形状に成形された防水性シートで、一方の端は、排水口２１１１を覆うように溶着され、他方の端は、タンク８に挿入される。
【００６６】
排水チューブ３２１は、例えば、防水性シートをテーパー形状に成形した筒体で、排水口２１１１を覆うように溶着される排水口側端部３２１ａからテント外のタンク８に挿入されるタンク側端部３２１ｂに向かって口径が小さくなっている。
【００６７】
排水チューブ３２１は、例えば、扇形に裁断された市販の防水性テント用シートの直線部同士を溶着してテーパー管状に形成されてなる。口径の大きな排水口側端部３２１ａは、第二シート状物２１１ｂに設けられた排水口２１１１を覆うように、小便器ボウル２１に溶着される。第二シート状物２１１ｂに溶着された排水チューブ３２１には、排水口２１１１側からホース３２２が挿入される。
（ホース３２２）
【００６８】
ホース３２２は、排水チューブ３２１の生地の内面が張り付き、流路の閉塞を防止し、小便器ボウル２内の小便をタンク８へ抜けやすくするための部材である。
【００６９】
ホース３２２は、外径が排水チューブ３２１のタンク側端部３２１ｂの口径よりやや大きな市販のホースである。ホース３２２の外径を排水チューブ３２１のタンク側端部３２１ｂの口径よりやや大きくすることで、別途固定具が無くても、ホース３２２は、排水チューブ３２１に固定できる。例えば、排水口側端部３２１ａの口径がΦ３０ｍｍ、タンク側端部３２１ｂの口径がΦ２０ｍｍの排水チューブ３２１に対して、市販の口径Φ２３ｍｍ〜２５ｍｍ程度のホースが利用できる。
（本発明を適用した排水構造部の第三実施例）
（排水構造部３３）
【００７０】
本発明を適用した排水構造部の第三実施例であって、外形図を図９Ａに、断面図を図９Ｂに示す。排水構造部３３は、図１〜図２、図９Ａ〜図９Ｂに示すように、小便器ボウル２１の排水口２１１１を覆うように溶着される排水チューブ３３１と、排水チューブ３３１に取り付けられ、排水チューブ３３１からタンク８へ尿などの液体を排出させるホース３３２と、ホース３３２と排水チューブ３３１とを固定するホースバンド３３４と、排水チューブ３３１のホース側端部３３１ｂに取り付けられ、ホースバンド３３４による固定を補助する補強管３３３を備えている。
（排水チューブ３３１）
【００７１】
排水チューブ３３１は、ホース３３２を介して、小便器ボウル２内の小便をタンク８へ排出させるための部材である。
【００７２】
排水チューブ３３１は、筒状に形成された防水性シートで、一方の端は、排水口２１１１を覆うように溶着され、他方の端は、ホース３３２に接続される。また、ホース側端部３３１ｂには、補強管３３３が取り付けられている。
【００７３】
排水チューブ３３１は、例えば、長方形に断裁された市販の防水性テント用シートの長辺同士を溶着してホース状にしたものである。
【００７４】
排水チューブ３３１の排水口側端部３３１ａは、第二シート状物２１１ｂに設けられた排水口２１１１を外側から覆うように、小便器ボウル２１に溶着される。また、ホース側端部３３１ｂは、補強管３３３を巻き込む様に端部が折り返され、溶着される。
【００７５】
補強管３３３が取り付けられた排水チューブ３３１のホース側端部３３１ｂは、ホース３３２に差し込まれ、ホースバンド３３４やインシュロック・紐等で固定される。
（補強管３３３）
【００７６】
補強管３３３は、排水チューブ３３１と、ホース３３２との固定を容易にするための部材である。
【００７７】
補強管３３３は、排水チューブ３３１をホース３３２に固定する際に変形しない程度の硬度を有する樹脂、金属などからなる丸パイプである。形状は、丸パイプに限られず、角パイプ等、中空形状であればよい。
（ホース３３２）
【００７８】
ホース３３２は、排水チューブ３３１からタンク８へと、小便を排出するための部材である。
【００７９】
ホース３３２は、例えば、補強管３３３の外径よりやや内径の大きな市販のホースである。ホース３３２の一方の端は、バンド３３４によって、排水チューブ３３１のホース側端部３３１ｂに固定され、他方の端は、タンク８へ挿入される。
【００８０】
ホース３３２は、後述する側面幕７１の下部に設けられた孔７１１を貫通し、テント外部に設置されたタンク８等へ小便を溜めることができる。
（ホースバンド３３４）
【００８１】
ホースバンド３３４は、排水チューブ３３１と、ホース３３２とを固定するための固定部材である。市販のホースバンドやインシュロック・紐等が利用できる。
（フレーム部４）
【００８２】
フレーム部４は、内部に小便器を設置するための空間を形成するための構造材である。
【００８３】
図１に示すように、フレーム部４は、例えば、仮設テントのフレーム材が使用できる。例えば、特開２００１−３０３８００号公報に記載されているような組立て式テントのフレーム材や、実用新案登録第３１３２９１４号公報に記載されているような蛇腹タイプのフレーム材が使用できる。特許請求の範囲の「仮設トイレの外形に沿うように組み立てられるフレーム部」には、組立て式テントのフレームに加え、蛇腹タイプのフレームも含まれる。
【００８４】
フレーム部４は、さらに、小便器ボウル取付部５、パーティション６、幕７などを取り付ける孔やネジ、突起、パイプなどを備えてもよい。
（小便器ボウル取付部５）
【００８５】
小便器ボウル取付部５は、固定部２１３，２２３を介して小便器ボウル２を取り付けるための部材である。
【００８６】
小便器ボウル取付部５は、図１に示すように、例えば、フレーム部４を水平に繋ぐパイプからなり、パイプの両端とフレーム部４とがネジで締結される。フレーム部４に複数のネジ穴４１が設けられていれば、任意の高さにパイプを取り付けることができ、例えば、大人用と子供用で小便器ボウル２の高さを変えることができる。
【００８７】
パイプは、任意の位置に小便器ボウル２の固定部２１３，２２３を巻き付けたり、縛り付けたりできるため、ユーザが所望の数の小便器ボウル２を取り付けることができる。
（パーティション６）
【００８８】
パーティション６は、各小便器ボウル２間に設置され、空間を仕切り、プライベート空間を作るための部材である。
【００８９】
パーティション６は、図１に示すように、空間を仕切る仕切布６１と、フレーム部４等の構造物に取り付けるための仕切取付部６２からなる。仕切布６１は、例えば、一般的なトイレに設置されるパーティション板サイズに裁断された防水性テント用シートである。仕切取付部６２は、フレーム部４等の構造物に取り付けられるものならばよく、例えば、一端が仕切布６１に縫い付けられた紐などである。仕切取付部６２は、フレーム部４などに結び付けられる。パーティション６は、着脱し易く、容易に洗浄できるため、衛生的である。なお、パーティション６は、プラスチックなどの板でもよく、ネジなどでパイプに固定してもよい。
（幕７）
【００９０】
幕７は、外部からの視界を遮るとともに、風雨から内部を保護するための部材である。
【００９１】
幕７は、図１〜図２に示すように、フレーム部４の側面に沿うように取り付けられる側面幕７１と、フレーム部４の上部を覆うように取り付けられる天幕７２を備えている。
【００９２】
側面幕７１、及び、天幕７２の素材、取り付け方法については、一般的な仮設テントに用いられるような素材、取り付け方法が採用できる。小便器ボウル２が取り付けられる側面幕７１については、防臭・抗菌・防水素材を用いることができ、複数枚の布を重ねたり、布を分割したりすることにより、部分的に交換できるようにしてもよい。
【００９３】
取り付けられた小便器ボウル２の背面に位置する側面幕７１には、ホース３１２，３３２、又は、排水チューブ３２１を貫通させる孔７１１が設けられ、排水構造部３を介して、テント外に設置されたタンク８に小便を溜められる。また、側面幕７１にスリット７１２を設け、スリット７１２にホース３１２，３３２、又は、排水チューブ３２１を貫通させてもよい。スリット形状であれば、小便器の数を自由に変更できる。
（仮設トイレ１の組立方法）
【００９４】
一般的なテントを組み立てる要領で、フレーム部４を組み立て、フレーム部４に小便器ボウル取付部５をネジで固定し、フレーム部４に、天幕７２と側面幕７１を取り付ける。次に、小便器ボウル取付部５に小便器ボウル２の固定部２１３を巻き付けて固定し、排水口２１１１側から排水チューブ３１１に丸鉢金物３１３を挿入し、ホース側端部３１１ｂとホース３１２とをバンド３１４で固定する。続いて、ホース３１２を孔７１１又はスリット７１２に通し、タンク８へ挿入する。仕切布取付部６２をフレーム部４に縛ることで仕切布６１が取り付けられる。各小便器ボウル２の間に、パーティション６を取り付ける。
【産業上の利用可能性】
【００９５】
本発明に係る小便器ボウル、及び、仮設トイレは、被災地などで、長時間屋外に設置される仮設トイレの用途に使用できる。
【符号の説明】
【００９６】
１…仮設トイレ
２…小便器ボウル
２１…小便器ボウル、２１１ａ…第一シート状物、２１１ｂ…第二シート状物、２１１１…排水口、２１１２…開口部、２１１３…外縁部、２１１４…紐通部、２１１４ａ…ループ、２１１５ａ，２１１５ｂ…長辺、２１１６ａ，２１１６ｂ…短辺、２１２…紐状物、２１３…固定部、２１３ａ…面ファスナー、２１３ｂ…紐
２２…小便器ボウル、２２１…第三シート状物、２２１１…排水口、２２１２…開口部、２２１３…外縁部、２２１４…紐通部、２２１４ａ…ハトメ、２２２…紐状物、２２３…固定部
３…排水構造部
３１…排水構造部、３１１…排水チューブ、３１１ａ…排水口側端部、３１１ｂ…ホース側端部、３１２…ホース、３１３…丸鉢金物、３１４…バンド
３２…排水構造部、３２１…排水チューブ、３２１ａ…排水口側端部、３２１ｂ…タンク側端部、３２２…ホース
３３…排水構造部、３３１…排水チューブ、３３１ａ…排水口側端部、３３１ｂ…ホース側端部、３３２…ホース、３３３…補強管、３３４…ホースバンド
４…フレーム部、４１…ネジ穴
５…小便器ボウル取付部
６…パーティション、６１…仕切布、６２…仕切布取付部
７…幕、７１…側面幕、７１１…孔、７１２…スリット、７２…天幕
８…タンク
【図１】
2018175283.tif 000003
【図２】
2018175283.tif 000004
【図３】
2018175283.tif 000005
【図４】
2018175283.tif 000006
【図５】
2018175283.tif 000007
【図６】
2018175283.tif 000008
【図７】
2018175283.tif 000009
【図８】
2018175283.tif 000010
【図９】
2018175283.tif 000011